(57)【要約】【課題】強力な臭いであっても、簡便かつ確実に消臭することのできる消臭用ウェットティッシュを提供すること。【解決手段】まず、緑茶抽出物、ローズマリー抽出物、竹抽出物からなる群から選ばれる少なくとも１種の植物抽出物、および、ノニオン系界面活性剤などの界面活性剤、さらには、必要により、エタノールなどのアルコール類を含む消臭液を調製し、次いで、得られた消臭液を不織布に含浸させることにより、消臭用ウェットティッシュを得る。この消臭用ウェットティッシュを用いて、魚釣りなどにおける餌や魚などの臭いが付いた手を払拭すれば、手の汚れを洗浄しつつ、例えば、アミエビのような強力な臭いであっても、簡便かつ確実に除去することができる。【選択図】    なし【特許請求の範囲】
【請求項１】
緑茶抽出物、ローズマリー抽出物、竹抽出物からなる群から選ばれる少なくとも１種の植物抽出物、および、界面活性剤を含む消臭液が、不織布に含浸されていることを特徴とする、消臭用ウェットティッシュ。
【請求項２】
前記植物抽出物が、前記消臭液中に０．０５〜５．０重量％含有されていることを特徴とする、請求項１に記載の消臭用ウェットティッシュ。
【請求項３】
前記界面活性剤が、ノニオン系界面活性剤であり、前記消臭液中に０．０１〜１．０重量％含有されていることを特徴とする、請求項１または２に記載の消臭用ウェットティッシュ。
【請求項４】
前記消臭液には、さらに、アルコール類が含有されていることを特徴とする、請求項１〜３のいずれかに記載の消臭用ウェットティッシュ。
【請求項５】
前記不織布がコットン繊維からなる不織布であり、前記消臭液が、前記不織布に対して１．５〜５重量倍含浸されていることを特徴とする、請求項１〜４のいずれかに記載の消臭用ウェットティッシュ。
【発明の詳細な説明】
【０００１】
【発明の属する技術分野】
本発明は、消臭用ウェットティッシュ、詳しくは、魚釣りなどにおいて用いられる消臭用ウェットティッシュに関する。
【０００２】
【従来の技術】
従来より、魚釣りでは、餌を手にとって針につけ、魚が釣れると、釣れた魚を手にとって針を外すようにしており、餌や魚が直接手に触れるため、手に餌や魚の臭いが付いてしまい、この臭いを、例えば、石鹸を用いて水洗しても、簡便に除去することが困難であった。
【０００３】
そのため、例えば、特開平３−２９６２３号公報では、ウーロン茶葉から抽出したウーロン茶抽出物を、エチルアルコールおよび界面活性剤とともに含有する水溶液が含浸された、洗浄効果および消臭効果を有するウェットティッシュが提案されている。
【０００４】
【特許文献１】
特開平３−２９６２３号公報
【発明が解決しようとする課題】
ところが、魚釣りの目的とする魚によっては、アミエビなどの臭いの強力な餌が用いられる場合があるなど、魚やアミエビなどに含まれるトリメチルアミンなどのアミン臭、ピリジン臭、アンモニア臭などが手に付着して強力な臭いの源となる場合も多い。そのような手に付着した強力な臭いは、皮膚表皮の細部に入り込み、石鹸などを用いた通常の手洗いや、消臭剤などを用いた手洗いにおいても、このような強力な臭いを完全に除去することができず、また、上記のウェットティッシュを用いても、手に付いたこのような強力な臭いをなかなか除去できないという不具合がある。
【０００５】
そこで、本発明は、このような不具合に鑑みなされたもので、その目的とするところは、強力な臭いであっても、簡便かつ確実に消臭することのできる消臭用ウェットティッシュを提供することにある。
【０００６】
【課題を解決するための手段】
上記目的を達成するため、本発明は、緑茶抽出物、ローズマリー抽出物、竹抽出物からなる群から選ばれる少なくとも１種の植物抽出物、および、界面活性剤を含む消臭液が、不織布に含浸されていることを特徴としている。
【０００７】
また、本発明では、前記植物抽出物が、前記消臭液中に０．０５〜５．０重量％含有されていることが好ましい。
【０００８】
また、本発明では、前記界面活性剤が、ノニオン系界面活性剤であり、前記消臭液中に０．０１〜１．０重量％含有されていることが好ましい。
【０００９】
また、本発明では、前記消臭液には、さらに、アルコール類が含有されていることが好ましい。
【００１０】
また、本発明では、前記不織布がコットン繊維からなる不織布であり、前記消臭液が、前記不織布に対して１．５〜５重量倍含浸されていることが好ましい。
【００１１】
【発明の実施の形態】
本発明の消臭用ウェットティッシュは、植物抽出物および界面活性剤を含む消臭液が不織布に含浸されている。
【００１２】
植物抽出物としては、緑茶抽出物、ローズマリー抽出物、竹抽出物からなる群から１種または２種以上選択して用いられる。
【００１３】
緑茶抽出物は、緑茶葉から抽出される抽出物であり、その成分として、例えば、エピカテキン、エピカテキンガレート、エピガロカテキン、エピガロカテキンガレートなどのポリフェノール系化合物などが含有されている。
【００１４】
ローズマリー抽出物は、ローズマリーの茎や葉などから抽出される抽出物であり、その成分として、例えば、１，８−シネオールなどのオキサイド類化合物、例えば、カンファーなどのケトン類化合物、例えば、α−ピネン、β−ピネン、カンフェン、リモネン、ミルセンなどの炭化水素類モノテルペン化合物などが含有されている。
【００１５】
竹抽出物は、竹から抽出される抽出物であり、その成分として、例えば、キノン類化合物などが含有されている。
【００１６】
なお、このような植物抽出物は、通常、そのｐＨが７以下である。
【００１７】
これら植物抽出物は、消臭液中に、０．０５〜５．０重量％、好ましくは、０．１〜３．０重量％含有される。植物抽出物が０．０５重量％未満になると、強力な臭いに対する十分な消臭効果が得られない場合があり、５．０重量％を超えると、植物抽出物の含有量に見合う消臭効果が得られない場合がある。
【００１８】
なお、植物抽出物を抽出する方法は、特に制限されないが、例えば、流下法（ドリップ法）、浸漬法、煮沸法などの方法において、熱湯を用いる熱湯抽出法、例えば、浸漬法、蒸留法などの方法において、アルコール類を用いるアルコール抽出法などの公知の抽出方法を用いることができ、植物抽出物の種類などに応じて、適宜選択して用いることができる。
【００１９】
また、抽出溶媒としては、例えば、水、例えば、メチルアルコール、エチルアルコール、プロピルアルコール、イソプロピルアルコールなどの水溶性アルコール類などが用いられる。
【００２０】
また、これら植物抽出物は、市販品を用いることもできる。
【００２１】
植物抽出物の市販品としては、例えば、サンフラボンＨＧ（商品名、１００％抽出物、太陽化学社製）、ポリフェノン（商品名、６０％抽出物、三井農林社製）、テアフラン３０Ａ（商品名、３０％抽出物、伊藤園社製）、フレッシュシライマツＥ（商品名、４％抽出物、白井松新薬社製）などの緑茶抽出物の市販品、例えば、ローズマリー抽出液（商品名、１％抽出物、小城製薬社製）、オーガニックローズマリーエキスＢＧ−５０（商品名、５０％抽出物、香栄興業社製）などのローズマリー抽出物の市販品、例えば、タケリグナンエキス（商品名、２０％抽出物、フードテックス社製）、ネオバンプス２０００（商品名、２０％抽出物、白井松新薬社製）などの竹抽出物の市販品などが挙げられる。
【００２２】
また、界面活性剤としては、特に制限されず、例えば、石鹸類、カチオン系界面活性剤、アニオン系界面活性剤、両イオン系界面活性剤、ノニオン系界面活性剤など、公知の界面活性剤が挙げられる。
【００２３】
石鹸類としては、例えば、アルカリ石鹸、金属石鹸、有機塩基石鹸などが挙げられる。
【００２４】
カチオン系界面活性剤としては、例えば、アルキルアミン塩、アルキルアンモニウム塩、アルキルピリジニウム塩などが挙げられる。
【００２５】
アニオン系界面活性剤としては、例えば、脂肪族モノカルボン酸塩、Ｎ−アルシルサルコシン塩、Ｎ−アシルグルタミン酸塩などのカルボン酸型アニオン系界面活性剤、例えば、アルキルスルホコハク酸塩、ジアルキルスルホコハク酸塩、アルカンスルホン酸塩、アルファオレフィンスルホン酸塩、アルキルベンゼンスルホン酸塩、アルキルジフェニルエーテルジスルホン酸塩、ナフタレンスルホン酸塩、ポリナフチルメタンスルホン酸塩、アルキルナフタレンスルホン酸塩、Ｎ−メチル−Ｎ−アシルタウリン酸塩などのスルホン酸型アニオン系界面活性剤、例えば、アルキル硫酸エステル塩、油脂硫酸エステル塩などの硫酸エステル型アニオン系界面活性剤、例えば、アルキルリン酸塩、ポリオキシエチレンアルキルエーテルリン酸塩、ポリオキシエチレンアルキルフェニルエーテルリン酸塩などのリン酸型アニオン系界面活性剤、例えば、ポリオキシエチレンアルキルエーテル硫酸塩、ポリオキシエチレンアルキルフェニルエーテル硫酸塩などのエーテル硫酸塩型アニオン系高分子界面活性剤、ポリカルボン酸塩、ポリオキシエチレンアルキルエーテルカルボン酸塩などのカルボン酸型アニオン系高分子界面活性剤などが挙げられる。
【００２６】
両イオン系界面活性剤としては、例えば、アルキルペダイン、アルキルβ−アラニンなどの両イオン系界面活性剤が挙げられる。
【００２７】
ノニオン系界面活性剤としては、例えば、ポリオキシエチレンアルキルエーテル、ポリオキシエチレン高級アルコールエーテル、ポリオキシエチレンアルキルフェニルエーテル、ポリオキシエチレン脂肪酸エステル、多価アルコール脂肪酸エステル、ポリオキシエチレン多価アルコール脂肪酸エステル、ポリオキシエチレン脂肪酸アミド、ソルビタンモノ脂肪酸エステル、ソルビタンジ脂肪酸エステル、ソルビタントリ脂肪酸エステル、ポリオキシエチレンソルビタンモノ脂肪酸エステル、ポリオキシエチレンソルビタンジ脂肪酸エステル、ポリオキシエチレンソルビタントリ脂肪酸エステル、ポリオキシエチレンソルビトール脂肪酸エステル、グリセリン脂肪酸エステル、ショ糖脂肪酸エステル、ポリオキシエチレン硬化ヒマシ油、ポリオキシエチレンアルキルアミン、ポリオキシエチレン脂肪酸アミドなどのノニオン系界面活性剤などが挙げられる。
【００２８】
これら界面活性剤は、単独で用いてもよいし、２種以上を併用して用いてもよい。
【００２９】
これら界面活性剤のうちでは、ノニオン系界面活性剤、より好ましくは、ポリオキシエチレン硬化ヒマシ油が用いられる。ポリオキシエチレン硬化ヒマシ油は、皮膚に対する浸透性がよく、手に染み付いた汚れを効果的に除去することができ、植物抽出物との相乗的な消臭効果を得ることができる。
【００３０】
また、界面活性剤は、消臭液中に、０．０１〜１．０重量％、好ましくは、０．０５〜０．５重量％含有される。界面活性剤が０．０１重量％未満になると、十分な洗浄効果が得られない場合があり、１．０重量％を超えると、界面活性剤が必要以上に手と接触してべたつく場合がある。
【００３１】
また、消臭液には、必要により、アルコール類が含有されていてもよい。
【００３２】
アルコール類としては、例えば、メチルアルコール、エチルアルコール、プロピルアルコール、イソプロピルアルコールなどの水溶性アルコール類が挙げられる。好ましくは、エタノールが用いられる。
【００３３】
アルコール類は、消臭液中に、例えば、０．５〜２０重量％、好ましくは、１〜１０重量％含有される。このような割合でアルコール類を含有させることにより、洗浄性の向上を図ることができる。
【００３４】
また、消臭液は、植物抽出物、界面活性剤、必要により、アルコール類を、それぞれ上記の割合で水に配合して、撹拌混合することによって、調製することができる。
【００３５】
なお、消臭液には、例えば、塩化セチルピリジニウムやメチルパラベンなどの防腐剤や香料などの公知の添加剤を、本発明の消臭用ウェットティッシュに含浸される植物抽出物による効果を阻害しない範囲において適宜配合してもよい。
【００３６】
そして、本発明の消臭用ウェットティッシュは、このようにして調製される消臭液を、例えば、公知の不織布に含浸させることにより得ることができる。
【００３７】
不織布としては、特に制限されないが、例えば、コットン製不織布、シルク製不織布、麻製不織布、レーヨン製不織布、ポリノジック製不織布、キュプラ製不織布、ウール製不織布などの親水性不織布、例えば、ポリエチレン製不織布、ポリプロピレン製不織布、ポリブテン製不織布、アセテート製不織布、プロミックス製不織布、ビニロン製不織布、ナイロン製不織布、トリアセテート製不織布、ポリクラール製不織布、アクリル製不織布、ポリウレタン製不織布、ポリエチレンテレフタレート製不織布、ポリエステル製不織布、フッ素系不織布、ビニリデン製不織布、ポリ塩化ビニル製不織布などの親油性不織布などが挙げられる。これら不織布は、単独で用いてもよく、また、２種以上併用してもよい。
【００３８】
不織布を用いれば、不織布は織布とは異なり、ウェブ状の表面の凹凸により、掻き取り効果を増大させることができ、払拭による汚れの除去効果を向上させることができる。
【００３９】
また、これら不織布のうちで、好ましくは、親水性不織布、さらに好ましくは、コットン製不織布が用いられる。
【００４０】
コットン製不織布は、その繊維自体が、中空で、ねじれた構造を有しているので、水分や油分などの液体成分を吸収しやすく、そのため、汚れなどを繊維内に取り込みやすく、また、一旦取り込んだ汚れなどを、繊維外に放出し難い特性を有している。その結果、コットン製不織布を用いることにより、消臭用ウェットティッシュの洗浄効果をより一層向上させることができる。
【００４１】
なお、不織布は、その表面がメッシュ状になっているものが好ましく用いられる。表面がメッシュ状であれば、物理的な掻き取り効果が得られるため、払拭による汚れの除去効率を向上させることができる。
【００４２】
不織布に対する消臭液の含浸量は、不織布に対して１．５〜５重量倍、好ましくは、２〜３重量倍である。
【００４３】
消臭液の含浸量が、１．５重量倍未満になると、消臭用ウェットティッシュの消臭効果が低下し、５重量倍を超えると、消臭液が不織布で保持しきれない場合がある。
【００４４】
不織布に消臭液を含浸させるには、特に制限されないが、例えば、ディップロールコーター法、グラビアロールコーター法、スプレーコート法、リバースロールコーター法、ダイレクトロールコーター法、キスロールコーター法、インバースナイフコーター法、エアナイフコーター法、オポジットナイフコーター法、ハケ塗り法などの公知の方法を用いることができる。なお、不織布の上方からシャワー状に消臭液をかけるシャワー法によって含浸することもできる。
【００４５】
そして、このようにして得られる本発明の消臭用ウェットティッシュを用いて、魚釣りなどにおける餌や魚などの臭いが付いた手を払拭すれば、手の汚れを洗浄しつつ、たとえアミエビのような強力な臭いであっても、簡便かつ確実に除去することができる。
【００４６】
【実施例】
以下に、実施例および比較例を挙げて本発明をさらに具体的に説明するが、本発明は、これら実施例および比較例に何ら限定されるものではない。
【００４７】
（１）実施例および比較例の調製
実施例１
タケリグナンエキス（商品名、２０％抽出物、フードテックス社製）が２．５重量％、ショ糖脂肪酸エステルが０．５重量％、水が９７．０重量％となるように各成分を配合して消臭液を調製した。そして、シャワー法によって、２００×２５０ｍｍ（目付け量５０ｇ／ｍ２）のコットン繊維１００％からなるコットン製不織布２．５ｇに、消臭液を７．５ｇ含浸させることにより、消臭用ウェットティッシュを得た。
【００４８】
実施例２
オーガニックローズマリーエキスＢＧ−５０（商品名、５０％抽出物、香栄興業社製）が２．０重量％、ポリオキシエチレンソルビタンモノラウレートが０．６重量％、塩化セチルピリジニウムが０．１重量％、水が９７．３重量％となるように各成分を配合して消臭液を調製した。そして、シャワー法によって、２００×２５０ｍｍ（目付け量５０ｇ／ｍ２）のコットン繊維１００％からなるコットン製不織布２．５ｇに、消臭液を７．５ｇ含浸させることにより、消臭用ウェットティッシュを得た。
【００４９】
実施例３
サンフラボンＨＧ（商品名、１００％抽出物、太陽化学社製）が０．７５重量％、ポリオキシエチレン硬化ヒマシ油が０．５重量％、メチルパラベンが０．３重量％、エチルアルコールが１０．０重量％、水が８８．４５重量％となるように各成分を配合して消臭液を調製した。そして、シャワー法によって、２００×２５０ｍｍ（目付け量５０ｇ／ｍ２）のコットン繊維１００％からなるコットン製不織布２．５ｇに、消臭液を７．５ｇ含浸させることにより、消臭用ウェットティッシュを得た。
【００５０】
実施例４
２００×２５０ｍｍ（目付け量５０ｇ／ｍ２）のレーヨン繊維１００％からなるレーヨン製不織布２．５ｇに、シャワー法によって、実施例２の消臭液を７．５ｇ含浸させることにより、消臭用ウェットティッシュを得た。
【００５１】
実施例５
２００×２５０ｍｍ（目付け量５０ｇ／ｍ２）のポリエステル繊維１００％からなるポリエステル製不織布２．５ｇに、シャワー法によって、実施例３の消臭液を７．５ｇ含浸させることにより、消臭用ウェットティッシュを得た。
【００５２】
実施例６
２００×２５０ｍｍ（目付け量５０ｇ／ｍ２）のコットン繊維１００％からなるコットン製不織布２．５ｇに、シャワー法によって、実施例２の消臭液を３．５ｇ含浸させることにより、消臭用ウェットティッシュを得た。
【００５３】
比較例１
ウーロン茶抽出物（商品名、１００％抽出物、高砂香料工業社製）が０．７５重量％、ポリオキシエチレン硬化ヒマシ油が０．５重量％、メチルパラベンが０．３重量％、エチルアルコールが１０．０重量％、水が８８．４５重量％となるように各成分を配合して消臭液を調製した。そして、シャワー法によって、２００×２５０ｍｍ（目付け量５０ｇ／ｍ２）のコットン繊維１００％からなるコットン製不織布２．５ｇに、消臭液を７．５ｇ含浸させることにより、消臭用ウェットティッシュを得た。
【００５４】
比較例２
オーガニックローズマリーエキスＢＧ−５０（商品名、５０％抽出物、香栄興業社製）が１．０重量％、タケリグナンエキス（商品名、２０％抽出物、フードテックス社製）が２．５重量％、水が９６．５重量％となるように各成分を配合して消臭液を調製した。そして、シャワー法によって、２００×２５０ｍｍ（目付け量５０ｇ／ｍ２）のコットン繊維１００％からなるコットン製不織布２．５ｇに、消臭液を７．５ｇ含浸させることにより、消臭用ウェットティッシュを得た。
【００５５】
比較例３
ショ糖脂肪酸エステルが２．０重量％、エチルアルコールが１０．０重量％、水が８８．０重量％となるように各成分を配合して消臭液を調製した。そして、シャワー法によって、２００×２５０ｍｍ（目付け量５０ｇ／ｍ２）のコットン繊維１００％からなるコットン製不織布２．５ｇに、消臭液を７．５ｇ含浸させることにより、消臭用ウェットティッシュを得た。
【００５６】
（２）評価
冷凍アミエビ１００ｇに、２０℃の海水１００ｇを加えて解凍した後、その解凍後のアミエビ１ｇを手にとり、手のひらですりつぶした。手にアミエビの臭いが付いていることを確認した後、各実施例および各比較例の消臭用ウェットティッシュで手を払拭した。払拭後の手の臭いを確認して、アミエビの臭いが除去されている程度を下記のレベルで段階評価した。この結果を表１に示す。また、この段階評価は、被験者１０名の平均値として示している。なお、これら段階評価の基準は、以下の通りである。
【００５７】
（消臭効果の段階評価）
１：不快臭を強く感じる
２：不快臭をはっきり感じる
３：不快臭が若干残っていることがわかる
４：臭いをほとんど感じない
５：臭いを全く感じない
【００５８】
【表１】
2004187790.tif 000002
【発明の効果】
以上述べたように、本発明の消臭用ウェットティッシュを用いて、魚釣りなどにおける餌や魚などの臭いが付いた手を払拭すれば、手の汚れを洗浄しつつ、例えば、アミエビのような強力な臭いであっても、簡便かつ確実に除去することができる。